(57)【特許請求の範囲】
【請求項１】
横方向に隣り合う二つの観覧席ブロックのうち一方の観覧席ブロックの床面端部に、前記観覧席ブロックの前後方向に延在する支持軸によってリンク部材の一端部を回動可能に取り付け、このリンク部材の他端部を、前記支持軸と平行に延在する他の支持軸によって、横方向両端部を下方に傾斜させた閉塞板のそれら両端部の間の中間部の裏面に回動可能に取り付け、前記下方に傾斜した横方向両端部を前記二つの観覧席ブロックの床面上に載置可能にしてなる閉塞ユニット。
【請求項２】
前記閉塞板の表面に折り畳み式の操作ハンドルを設けてなる請求項１に記載の閉塞ユニット。
【請求項３】
前記閉塞板を磁性体によって形成してなる請求項１または２に記載の閉塞ユニット。
【請求項４】
前記観覧席ブロックの床面後端部に、横方向に移動可能な背壁を設けるとともに、前記閉塞板の前記背壁に向く側の端部に摺動部材を設け、この摺動部材の先端を、前記背壁に対して上下方向に摺動可能に掛合させてなる請求項１〜３のいずれか一項に記載の閉塞ユニット。
【請求項５】
前記観覧席ブロックの横方向へ延在して座席を起倒操作する支軸の回動と前記前後方向に延在する支持部材の回動とを回動方向を変えて連動させる伝動機構を設けてなる請求項１〜４のいずれか一項に記載の閉塞ユニット。
【請求項６】
前記伝動機構は、ロッドまたはワイヤを用いて回動伝達するものである請求項５に記載の閉塞ユニット。
【請求項７】
横方向に隣り合う二つの観覧席ブロックのうち一方の観覧席ブロックの床台端部に、前記観覧席ブロックの前後方向に延在する支持軸によってリンク部材の一端部を回動可能に取り付け、このリンク部材の他端部に設けた、前記支持軸と平行に延在する他の支持軸を、閉塞板の横方向両端部の間の中間部の裏面にその中間部に沿って横方向へ延在するように設けたスロットに対して摺動可能かつ回動可能に掛合させ、閉塞板の前記横方向両端部を前記中間部を水平に位置させた状態で下方に傾斜させ、前記一方の観覧席ブロックの、前記リンク部材を取り付けた側の端部の側面に、収納部材を配設し、前記下方に傾斜した横方向両端部を前記二つの観覧席ブロックの床面上に載置可能にしてなる閉塞ユニット。
【発明の詳細な説明】
【０００１】
【発明の属する技術分野】
この発明は、劇場等の公共施設その他において用いられる移動観覧席において、各々多数の起倒可能な座席を具えた観覧席ブロック間の隙間を塞ぐための閉塞ユニットに関するものである。
【０００２】
【従来の技術】
近年、劇場、音楽ホール、映画館等の公共施設の中には、その空間を多目的に利用するため、舞台で催し物が開催されていない場合に、観覧席を舞台とは反対方向に収納し、本来観覧席のある部分に新たに空間を画成するよう設計されているものが多くみられる。
【０００３】
このような形態の公共施設は、座席を個々に起倒可能とし、複数の座席を一段または複数段の床台ごとに一つの観覧席ブロックとして、個々の観覧席ブロックを舞台とは反対側に移動させて収納可能に設計されているのが一般的である。
【０００４】
しかるに、このような形態の観覧席を設けた公共施設は、上述した複数の観覧席ブロックの出し入れを容易とするため、それら観覧席ブロック間にある程度の隙間を設けるようにその設計を行うのが通例であり、これがため、各観覧席ブロックを使用位置に展開させた際には、それら観覧席ブロック間の床面や背壁間の隙間を塞ぐ必要性が生じる。
【０００５】
従来は、これらの隙間を塞ぐため、図６に示すように、各観覧席ブロック２０の表面端部付近に、平坦な閉塞板２１を蝶番２２によって取り付け、この蝶番２２の周りに閉塞板２１を回転させて裏返すことにより、閉塞板２１を閉塞位置に配置していたが、観客が閉塞板２１を踏んだ場合には、蝶番２２の位置によってはそれ自身に荷重がかかり、蝶番２２が変形して閉塞板２１の回転動作が円滑でなくなるという問題があった。
【０００６】
また、前方から見た場合に、隣接する観覧席ブロックＢの床台２０どうしに高低差がある場合には、以下のような問題もあった。すなわち、蝶番２２が取り付けられた観覧席ブロックＢの床台２０の高さがもう一つの観覧席ブロックＢの床台２０の高さよりも低い場合には、閉塞板２１が平坦であるため、蝶番２２自身に直接荷重がかかって蝶番２２の変形が生ずる他、閉塞板２１の先端が観覧席ブロックＢの床台２０から浮き上がってしまい、これがため、観客が閉塞板２１の先端につまずいてしまうことがあった。これに対して、蝶番２２が取り付けられた観覧席ブロックＢの床台２０の高さがもう一つの観覧席ブロックＢの床台２０の高さよりも高い場合には、閉塞板２１の先端が観覧席ブロックＢの床台２０から浮き上がってしまうため、観客が閉塞板２１の先端につまずいてしまう他、閉塞板２１を踏んだ際には、閉塞板２１が蝶番２２を取り付けた観覧席ブロックＢの床台２０の端部で折れ曲がってしまうことがあった。
【０００７】
また、上述の隙間を塞ぐために、図７のように、観覧席ブロックＢの床台２０の両側面に弾性部材２３ａで進出付勢した閉塞部材２３を設け、これら弾性部材２３ａの弾性力により閉塞部材２３どうしを当接させて、ロッド２３ｂおよび２３ｃにより閉塞部材２３を支持し、上記隙間を塞ぐものもあったが、この場合には、閉塞部材２３を移動させる構造が複雑である他、人間がこの閉塞部材２３を踏んだ場合には、閉塞部材２３の当接部における支持力が弱く、ロッド２３ｃ、ひいては閉塞部材２３自体が観覧席ブロックＢの床台２０の表面と平行でなくなるため、閉塞部材２３の進退運動が円滑でなくなることがあった。
【０００８】
【発明が解決しようとする課題】
この発明は、従来技術が抱えるこのような問題点を解決することを課題とするものであり、それの目的とするところは、蝶番等の回動可能な支持部材の破損がなく、長期間使用することが可能であり、かつ、観覧席ブロックに対して閉塞板の先端が浮き上がって観客が閉塞板の先端につまずいてしまうことのない、閉塞ユニットを提供するものである。
【０００９】
【課題を解決するための手段】
この発明の閉塞ユニットは、横方向に隣り合う二つの観覧席ブロックのうち一方の観覧席ブロックの床面端部に、前記観覧席ブロックの前後方向に延在する支持軸によってリンク部材の一端部を回動可能に取り付け、このリンク部材の他端部を、前記支持軸と平行に延在する他の支持軸によって、横方向両端部を下方に傾斜させた閉塞板のそれら両端部の間の中間部の裏面に回動可能に取り付け、前記下方に傾斜した横方向両端部を前記二つの観覧席ブロックの床面上に載置可能にしてなるものである。
【００１０】
この閉塞ユニットでは、閉塞板は、床面端部および閉塞板に対するリンク部材の相対回動により、床面上の収納位置と床面間を塞ぐ閉塞位置との間でほぼ水平状態のまま観覧席ブロックの横方向へ移動し、閉塞位置では下方に傾斜した横方向両端部を二つの観覧席ブロックの床面上に載置する。また閉塞板は、その横方向両端部を、中間部に比して鉛直方向下向きに傾斜させたことにより、横方向に隣り合う二つの観覧席ブロックどうしに高低差がある場合でも、観覧席ブロックに対してその先端が浮き上がらないので、観客が閉塞板の先端につまずくことを防止すべく機能する。
【００１１】
さらに、リンク部材と閉塞板との間に取り付けられた支持軸すなわち蝶番は、その取り付け位置が、閉塞板の下方に傾斜した横方向両端部よりもその中央側であり、閉塞位置では閉塞板の下方に傾斜した横方向両端部が二つの観覧席ブロックの床面上に載置されるので、観客が閉塞板を踏んでも、蝶番自身には直接荷重がかからず、これがため、蝶番自身、ひいては閉塞ユニット自体を長期間使用可能とすべく機能する。
【００１２】
したがって、この閉塞ユニットでは、リンク部材、閉塞板、および蝶番の作用の下、蝶番の破損を回避した長期間の使用と、観覧席ブロックに対する閉塞板の先端の浮き上がりに起因する観客のつまずきの防止とを実現することができる。
【００１３】
かかる閉塞ユニットにおいてより好ましくは、閉塞板の表面に折り畳み式の操作ハンドルを設ける。
これによれば、閉塞板をその収納位置から閉塞位置に円滑かつ確実に手動で移動させることができる。
【００１４】
また好ましくは、閉塞板を磁性体によって形成する。
かかる閉塞ユニットによれば、閉塞板の表面に操作ハンドルを設けていない場合でも、磁石を先端に取り付けたロッド等により、閉塞板をその収納位置から閉塞位置に円滑かつ確実に移動することができる。
【００１５】
さらに好ましくは、観覧席ブロックの床面後端部に、横方向に移動可能な背壁を設けるとともに、閉塞板の背壁に向く側の端部に摺動部材を設け、この摺動部材の先端を、背壁に対して上下方向に摺動可能に掛合させる。
これによれば、リンク部材の回動によって閉塞板を閉塞位置へと移動させると、そのリンク部材の回動に連動して背壁が閉塞板の移動方向と同方向に摺動するので、観覧席ブロックの背壁側の隙間も塞ぐことができる。
【００１６】
かかる閉塞ユニットにおいてまた好ましくは、前記観覧席ブロックの横方向へ延在して座席を起倒操作する支軸の回動と前記前後方向に延在する支持部材の回動とを回動方向を変えて連動させる伝動機構を設ける。
かかる閉塞ユニットによれば、閉塞ユニット自体に別途人間が手を加えることなく、観覧席ブロックをセットするとともに、閉塞板の閉塞位置が連動的に実現できる。具体的には、伝動機構は、ロッドまたはワイヤとすることができる。
【００１７】
加えて好ましくは、横方向に隣り合う二つの観覧席ブロックのうち一方の観覧席ブロックの床台端部に、前記観覧席ブロックの前後方向に延在する支持軸によってリンク部材の一端部を回動可能に取り付け、このリンク部材の他端部に設けた、前記支持軸と平行に延在する他の支持軸を、閉塞板の横方向両端部の間の中間部の裏面にその中間部に沿って横方向へ延在するように設けたスロットに対して摺動可能かつ回動可能に掛合させ、閉塞板の前記横方向両端部を前記中間部を水平に位置させた状態で下方に傾斜させ、前記一方の観覧席ブロックの、前記リンク部材を取り付けた側の端部の側面に、収納部材を配設し、前記下方に傾斜した横方向両端部を前記二つの観覧席ブロックの床面上に載置可能にする。
かかる閉塞ユニットによれば、閉塞板が、リンク部材の回動と閉塞板の横方向へ延在するスロット内での支持軸の摺動および回動とにより、鉛直状態の収納位置と水平状態の閉塞位置との間で移動するので、その鉛直状態において、閉塞板を観覧席ブロックの脇の収納部材に収納しておくことができる。
【００１８】
【発明の実施の形態】
以下に、この発明の実施の形態を図面の示すところに基づいて説明する。
図１はこの発明の実施の形態を示す正面図であり、図中Ｂは移動観覧席の観覧席ブロック、Ｓは起倒可能な座席としての連結椅子、１は観覧席ブロックの床台、２はリンク部材、３ａ，３ｂは蝶番、そして４は閉塞板をそれぞれ示すものである。
【００１９】
ここでは、観覧席ブロックＢの床面１の端部に、リンク部材２の一端を、支持軸を有する蝶番３ａによって取り付けるとともに、リンク部材２の他端を、支持軸を有する他の蝶番３ｂによって、両端部を下方に傾斜させた閉塞板４のそれら両端部の間の中間部の裏面に取り付ける。
【００２０】
以上のように構成してなる閉塞ユニットによれば、先に述べたように、閉塞板４が、床面端部および閉塞板４に対するリンク部材２の相対回動により、床面上の収納位置と床面間を塞ぐ閉塞位置との間でほぼ水平状態のまま移動し、またその両端部を、中間部に比して鉛直方向下向きに傾斜させたことにより、隣接する観覧席ブロックＢの床台１どうしに高低差がある場合でも、観覧席ブロックＢの床台１に対してその先端が浮き上がらないので、観客が閉塞板４の先端につまずくことを防止することができる。
【００２１】
またここでは、図２に示すように、閉塞板４の表面に折り畳み式の操作ハンドル５を設け、この操作ハンドルを把持して閉塞板４を収納位置から閉塞位置に円滑かつ確実に移動させることができる。
【００２２】
さらにここでは、閉塞板４を磁性体で形成すれば、図３に示すように、先端に磁石の付いたロッド６等によって閉塞板４を収納位置から閉塞位置に円滑かつ確実に移動することができる。
【００２３】
またここでは、図４（ａ）〜図４（ｃ）（一連の閉塞動作を順に示す正面図）および図４（ｄ）（側面図）に示すように、観覧席ブロック２０の床面後端部に、横方向に移動可能な背壁１ａを設けるとともに、閉塞板４の背壁に向く側に摺動部材７を設け、この摺動部材７の先端を、観覧席ブロックＢの床台１の背壁１ａに対して鉛直方向に摺動可能に掛合させる。
【００２４】
ところで、図１〜図４に示した実施形態は、観覧席ブロックＢの展開動作とは別に、人間が何らかの手を加えて閉塞板４を閉塞位置とするものであるが、閉塞板４の閉塞位置を観覧席ブロックＢの展開動作と連動させて行うべく、例えば、観覧席ブロックＢの連結椅子Ｓの支持軸にクランクを介して連結された二本のロッドをそれぞれベルクランクに連結し、これらベルクランクに連結した別の二本のロッドを各々リンク部材２の固定した支持軸にクランクを介して各端部に連結することで、互いに直交する連結椅子Ｓの支持軸とリンク部材２の支持軸との間で回転伝達する伝動機構を構成してもよい。
【００２５】
また、同様に、観覧席ブロックＢの連結椅子Ｓの支持軸に連結された二本のワイヤを、リンク部材２の端部に固定した支持軸にそれぞれ連結して伝動機構を構成することも可能である。
【００２６】
そしてまた、図５（ａ）〜（ｃ）に示すように、観覧席ブロックＢの床台１の端部に、支持軸を有する蝶番３ｃによってリンク部材２の一端部を回動可能に取り付け、このリンク部材２の他端部に設けた、支持軸を有する他の蝶番３ｄを、閉塞板４の両端部の間の中間部の裏面にその中間部に沿って延在するように設けたスロット８に対して摺動可能に掛合させ、閉塞板４の両端部を中間部を水平に位置させた状態で下方に傾斜させ、観覧席ブロックＢ、リンク部材２を取り付けた側の端部の側面に、収納部材９を配設する。
【００２７】
以上のように構成してなる閉塞ユニットによれば、上述したとおり、閉塞板４が、リンク部材２の回動とスロット８内での支持軸の摺動とにより、収納位置と水平状態の閉塞位置との間で移動するので、その鉛直状態において、閉塞板４を観覧席ブロックＢの脇の収納部材９に収納しておくことができ、これにより、蝶番３ｃ，３ｄの破損を回避した長期間の使用と、観覧席ブロックＢに対する閉塞板４の先端の浮き上がりに起因する観客のつまずきの防止とを実現することができ、閉塞板４の展開動作を手動で、場合によっては観覧席ブロックＢの展開動作と連動して実現することができる。
【００２８】
【発明の効果】
かくして、この発明によれば、とくにリンク部材２、蝶番３ａ〜３ｄおよび閉塞板４の作用に基づいて、蝶番３ａ〜３ｄの破損を回避した長期間の使用と、観覧席ブロックＢに対する閉塞板４の先端の浮き上がりに起因する観客のつまずきの防止とを実現した閉塞ユニットを提供することができる。
【図面の簡単な説明】
【図１】  この発明の閉塞ユニットの最も簡単な実施の形態を示す正面図である。
【図２】  図１の実施の形態の一変形例（閉塞板に操作ハンドルを設けた例）を示す正面図である。
【図３】  図１の実施の形態の一変形例（閉塞板を磁性体で形成した例）を示す正面図である。
【図４】  （ａ）〜（ｃ）は、この発明の閉塞ユニットの他の実施の形態の一例を示す正面図であり、（ｄ）は、その実施の形態を示す側面図である。
【図５】  （ａ）〜（ｃ）は、この発明の閉塞ユニットの他の実施の形態の一例を示す正面図である。
【図６】  従来例の閉塞ユニットの一例を示す正面図である。
【図７】  従来例の閉塞ユニットの一例を示す正面図である。
【符号の説明】
Ｂ  観覧席ブロック
Ｓ  連結椅子
１  床台
１ａ  背壁
２  リンク部材
３ａ，３ｂ，３ｃ，３ｄ  蝶番
４  閉塞板
５  操作ハンドル
６  先端に磁石を付けたロッド
７  摺動部材
８  スロット
９  収納部材
２０  床台
２１  閉塞板
２２  蝶番
２３  閉鎖部材
２３ａ  弾性部材
２３ｂ，２３ｃ  ロッド
【図１】
0004219511.tif 000002
【図２】
0004219511.tif 000003
【図３】
0004219511.tif 000004
【図４】
0004219511.tif 000005
【図５】
0004219511.tif 000006
【図６】
0004219511.tif 000007
【図７】
0004219511.tif 000008